(57)【要約】【課題】搬送された紙葉（帳票）を排紙トレイに収納する技術を改良して、紙葉のサイズ如何に拘わらず、ストッパを設けることなく紙葉を整列させる。【解決手段】紙葉（図示省略）は搬送路１に沿って搬送ローラ４で送られてくる。該搬送路１の終末箇所に設けた排紙ローラ６は回転速度を独立に制御し得るようになっている。この排紙ローラ６は、排紙ローラの直前に位置する搬送ローラ４ｊの搬送速度（ローラの周速）にと等しい周速で回転しながら紙葉を受け取り、紙葉が排紙ローラの直前に位置する搬送ローラ４ｊを通過し終えて離れた直後に加速または減速して、排紙最適速度（放出された紙葉が綺麗に整列する速度）に等しい周速となり、紙葉を最適速度で排紙（放出）する。【選択図】図３
2008273636.tif 000002
【特許請求の範囲】
【請求項１】
搬送ローラによって紙葉を搬送し、排紙ローラで該紙葉を排紙してスタッカに収納する方法であって、
排紙ローラによって排紙された紙葉をスタッカ内に収納する際、該紙葉が整列する最適排紙速度と、搬送ローラによって搬送された紙葉が排紙ローラに到達する際の搬送速度とを比較し、
最適排紙速度が搬送速度よりも低い場合、
搬送ローラによって搬送された紙葉が排紙ローラに接触する時点において、該排紙ローラの周速を搬送速度と等しからしめるように制御し、
紙葉が搬送ローラから離れるまでの間、排紙ローラの周速を搬送速度と等しく保ち、
紙葉が搬送ローラから離れた直後に、排紙ローラの回転を減速して、
紙葉が排紙ローラから離れるまでの間に、該排紙ローラの周速が排紙最適速度となるように制御することを特徴とする、紙葉の搬送・排紙方法。
【請求項２】
搬送ローラによって紙葉を搬送し、排紙ローラで該紙葉を排紙してスタッカに収納する方法であって、
排紙ローラによって排紙された紙葉をスタッカ内に収納する際、該紙葉が整列する最適排紙速度と、搬送ローラによって搬送された紙葉が排紙ローラに到達する際の搬送速度とを比較し、
最適排紙速度が搬送速度よりも高い場合、
搬送ローラによって搬送された紙葉が排紙ローラに接触する時点において、該排紙ローラの周速を搬送速度と等しからしめるように制御し、
紙葉が搬送ローラから離れるまでの間、排紙ローラの周速を搬送速度と等しく保ち、
紙葉が搬送ローラから離れた直後に、排紙ローラの回転を加速して、
紙葉が排紙ローラから離れるまでの間に、該排紙ローラの周速が排紙最適速度となるように制御することを特徴とする、紙葉の搬送・排紙方法。
【請求項３】
搬送ローラによって紙葉を搬送し、排紙ローラによって該紙葉を排紙してスタッカに収納する装置であって、
搬送ローラによって搬送されたる紙葉が、排紙ローラの直前に位置する搬送ローラに接触していることを直接または間接的に検知する手段と、
排紙ローラによって排紙された紙葉が排紙ローラから離間する時点を直接または間接的に検知する手段と、
上記双方の検知手段の出力信号を入力されて、排紙ローラの回転速度を制御する自動制御機構とを具備していることを特徴とする、紙葉の搬送・排紙装置。
【請求項４】
前記自動制御機構は、排紙ローラの直前に位置する搬送ローラの周速に相当する搬送速度が、排紙された紙葉がスタッカ内に整列するための最適速度よりも高い場合には、
紙葉が排紙ローラの直前に位置する搬送ローラによって送られている間は、排紙ローラの周速を搬送ローラの周速とほぼ等しからしめ、
紙葉が排紙ローラの直前に位置する搬送ローラを通過して離れた直後に、排紙ローラの回転速度を減速せしめ、
紙葉が排紙ローラを通過して離れるまでの間に、該排紙ローラの周速を最適速度ならしめる機能を有するものであることを特徴とする、請求項３に記載した紙葉の搬送・排紙装置。
【請求項５】
前記自動制御機構は、排紙ローラの直前に位置する搬送ローラの周速に相当する搬送速度が、排紙された紙葉がスタッカ内に整列するための最適速度よりも低い場合には、
紙葉が排紙ローラの直前に位置する搬送ローラによって送られている間は、排紙ローラの周速を搬送ローラの周速とほぼ等しからしめ、
紙葉が排紙ローラの直前に位置する搬送ローラを通過して離れた直後に、排紙ローラの回転速度を加速せしめ、
紙葉が排紙ローラを通過して離れるまでの間に、該排紙ローラの周速を最適速度ならしめる機能を有するものであることを特徴とする、請求項３に記載した紙葉の搬送・排紙装置。
【請求項６】
前記紙葉の接触や紙葉の離間を検知する手段は、ローラの直近に位置せしめて設置された光学的非接触センサであり、
かつ前記自動制御機構は、光学的非接触センサ到達ローラとの間の距離、紙葉の搬送速度、及びローラを含む回転部材の慣性に因るタイムラグを補正して排紙ローラの回転速度を制御する機能を有していることを特徴とする、請求項３ないし請求項５の何れかに記載した紙葉の搬送・排紙装置。
【発明の詳細な説明】
【技術分野】
【０００１】
本発明は、紙葉を搬送して排紙し、スタッカに収納する技術に係り、例えば帳票の自動読取機の付属装置として設置するに好適である。
【背景技術】
【０００２】
図７は従来例の紙葉の搬送，排紙装置の模式的な正面図である。この例は、自動読取機で読みとられた帳票を分別して排紙トレイに収納する搬送，排紙装置である。本発明において紙葉とは帳票を含む意である。
搬送路１に沿って多数の搬送ローラ４が配置されており、これらの搬送ローラは搬送ローラ駆動モータ５によって回転駆動されている。
帳票１１は図示の位置から矢印ｕのように上昇し、搬送切替器１０によって矢印ｖ方向へ分岐され、搬送路１に沿って図の右上方へ進行し、最後端に位置する搬送ローラ４ｅによって矢印ｗのように空中に放出（排紙）される。
排紙された紙葉は排紙トレイ２に収納される。符号３を付して示したのは収納補助ガイドである。
【０００３】
排紙装置に関する先行技術としては、特許文献１の欄に記載した特開２０００−３０２３１１号公報「排紙装置」が有る。この発明はトレイを上下に配置したとき、選択されたトレイに紙葉を入れることを目的として為され、排紙ローラに工夫を加えて改良したものである。
また、特許文献２の欄に記載した 特開平１０−１１３６１７号公報「紙葉体仕分け装置」は消費エネルギーの節約と騒音の低減とを目的として為され、第１トレイと第２トレイとを設けるとともに、排紙ローラに工夫を加えたものである。
しかし、排紙速度の制御に関して格別の工夫をした例は無い。
【特許文献１】特開２０００−３０２３１１号公報
【特許文献２】特開平１０−１１３６１７号公報
【発明の開示】
【発明が解決しようとする課題】
【０００４】
（図７参照）搬送ローラ４によって運ばれた紙葉１１を排紙トレイ２の中で綺麗に整列させることは容易でない。
特に、紙葉１１のサイズが不定であると整列させることが困難である。
さらに最近、紙葉の処理能率が向上して搬送速度が上昇したので一層整列が難しくなった。
紙葉の排紙方向（矢印ｗ）の延長線上にストッパＳを置いて、飛来した紙葉を衝突させる技術も広く用いられている。しかしストッパの存在は、排紙トレイに溜まった紙葉を取り出す作業の邪魔になる。その上、紙葉（帳票）のサイズが不揃いであるとストッパの取り扱いが面倒である。
【０００５】
本発明は以上に述べた事情に鑑みて為されたものであって、その目的とするところは、
紙葉（帳票）のサイズが不揃いであっても、搬送状態が変わっても、排紙された紙葉を確実に整列させ、しかも排紙トレイの操作を妨げない搬送，排紙方法、及び同装置を提供するにある。
【課題を解決するための手段】
【０００６】
上記の目的を達成するため、本発明者は排紙作動に影響を及ぼす各種の条件について研究し、実験を繰り返して解明した。その結果として得られた知見を要約すると次のごとくである。
排紙動作に直接的に関係する構成部分、すなわち（図７参照）搬送路１の傾斜角度、排紙トレイ２の形状寸法及び設置の位置、並びに搬送路の後端に位置する搬送ローラ４ｅの形状寸法を一定にしたとき、紙葉の整列状態は該紙葉の排紙速度に大きく影響され、最適速度なるものが存在する。
本発明は、この最適排紙速度を発見したところから始まり、具体的にこの最適排紙速度を実現することを追及して創作したものである。
【０００７】
一方、排紙速度は搬送ローラ４の回転速度によって定まり、ほぼ搬送ローラの周速に等しい。
ところが、排紙，収納装置は一般に、主機械（例えば読取機、複写機など）に付属しているので、排紙作業の都合で搬送速度を左右することは許されない。すなわち排紙，収容装置は、主機が送り出すタイミングに合わせて紙葉を受け取らねばならないという従属的地位を脱することができない。
そこで本発明は、搬送されてきた紙葉を、その搬送速度で受け取った直後に、該紙葉の速度を加速させ、又は減速させることによって、排紙の最適速度となるように制御する。
搬送路の最後端に位置する搬送ローラを、回転速度制御可能に構成して、これを排紙ローラと名付け、この排紙ローラが紙葉を受け取ってから放出するまでの間に、前記の加，減速を行わせる。
排紙の最適速度という概念、および排紙ローラという部材は、本発明において創作されたものであって、従来においては存在しなかった。
排紙ローラとは、搬送路の終末箇所付近に設けられて回転速度を独立に制御される、搬送ローラに類似した構造の部材である。
【０００８】
上述の原理に基づいて創作した請求項１の発明に係る紙葉の搬送・排紙方法方法は、
搬送ローラによって紙葉を搬送し、排紙ローラで該紙葉を排紙してスタッカに収納する方法であって、
排紙ローラによって排紙された紙葉をスタッカ内に収納する際、該紙葉が整列する最適排紙速度と、搬送ローラによって搬送された紙葉が排紙ローラに到達する際の搬送速度とを比較し、
最適排紙速度が搬送速度よりも低い場合、
搬送ローラによって搬送されている紙葉が排紙ローラに接触する時点において、該排紙ローラの周速を搬送速度と等しからしめるように制御し、
紙葉が搬送ローラから離れるまでの間、排紙ローラの周速を搬送速度と等しく保ち、
紙葉が搬送ローラから離れた直後に、排紙ローラの回転を減速して、
紙葉が排紙ローラから離れるまでの間に、該排紙ローラの周速が排紙最適速度となるように制御することを特徴とする。
【０００９】
請求項２の発明に係る紙葉の搬送・排紙方法は、
搬送ローラによって紙葉を搬送し、排紙ローラで該紙葉を排紙してスタッカに収納する方法において、
排紙ローラによって排紙された紙葉をスタッカ内に収納する際、該紙葉が整列する最適排紙速度と、搬送ローラによって搬送された紙葉が排紙ローラに到達する際の搬送速度とを比較し、
最適排紙速度が搬送速度よりも高い場合、
搬送ローラによって搬送されている紙葉が排紙ローラに接触する時点において、該排紙ローラの周速を搬送速度と等しからしめるように制御し、
紙葉が搬送ローラから離れるまでの間、排紙ローラの周速を搬送速度と等しく保ち、
紙葉が搬送ローラから離れた直後に、排紙ローラの回転を加速して、
紙葉が排紙ローラから離れるまでの間に、該排紙ローラの周速が排紙最適速度となるように制御することを特徴とする。
【００１０】
請求項３の発明に係る紙葉の搬送・排紙装置の構成は、
搬送ローラによって紙葉を搬送し、排紙ローラによって該紙葉を排紙してスタッカに収納する装置であって、  
搬送ローラによって搬送されたる紙葉が、排紙ローラの直前に位置する搬送ローラに接触していることを直接または間接的に検知する手段と、
排紙ローラによって排紙された紙葉が排紙ローラから離間する時点を直接または間接的に検知する手段と、
上記双方の検知手段の出力信号を入力されて、排紙ローラの回転速度を制御する自動制御機構とを具備していることを特徴とする。
【００１１】
請求項４の発明に係る紙葉の搬送・排紙装置の構成は、前記請求項３の発明装置の構成要件に加えて、
前記自動制御機構は、排紙ローラの直前に位置する搬送ローラの周速に相当する搬送速度が、排紙された紙葉がスタッカ内に整列するための最適速度よりも高い場合には、
紙葉が排紙ローラの直前に位置する搬送ローラによって送られている間は、排紙ローラの周速を搬送ローラの周速とほぼ等しからしめ、
紙葉が排紙ローラの直前に位置する搬送ローラを通過して離れた直後に、排紙ローラの回転速度を減速せしめ、
紙葉が排紙ローラを通過して離れるまでの間に、該排紙ローラの周速を最適速度ならしめる機能を有するものであることを特徴とする。
【００１２】
請求項５の発明に係る紙葉の搬送・排紙装置の構成は、前記請求項３の発明装置の構成要件に加えて、
前記自動制御機構は、排紙ローラの直前に位置する搬送ローラの周速に相当する搬送速度が、排紙された紙葉がスタッカ内に整列するための最適速度よりも低い場合には、
紙葉が排紙ローラの直前に位置する搬送ローラによって送られている間は、排紙ローラの周速を搬送ローラの周速とほぼ等しからしめ、
紙葉が排紙ローラの直前に位置する搬送ローラを通過して離れた直後に、排紙ローラの回転速度を加速せしめ、
紙葉が排紙ローラを通過して離れるまでの間に、該排紙ローラの周速を最適速度ならしめる機能を有するものであることを特徴とする。
【００１３】
請求項６の発明に係る紙葉の搬送・排紙装置の構成は、前記請求項３ないし請求項５の発明装置の構成要件に加えて、
前記紙葉の接触や紙葉の離間を検知する手段は、ローラの直近に位置せしめて設置された光学的非接触センサであり、
かつ前記自動制御機構は、光学的非接触センサ到達ローラとの間の距離、紙葉の搬送速度、及びローラを含む回転部材の慣性に因るタイムラグを補正して排紙ローラの回転速度を制御する機能を有していることを特徴とする。
【発明の効果】
【００１４】
請求項１の発明方法を適用すると、最適速度が搬送速度よりも低い場合、
排紙ローラの直前に位置する搬送ローラから比較的高速で渡された紙葉を、無理無く円滑に排紙ローラが受け取り、
受け取り終わった紙葉が搬送ローラから離れた直後に該紙葉の搬送を減速させて、紙葉を排紙ローラから放出（排紙）する際は最適速度にする。
最適速度で排紙されるから、紙葉は排紙トレイ内で綺麗に整列する。
【００１５】
請求項２の発明方法を適用すると、最適速度が搬送速度よりも高い場合、
排紙ローラの直前に位置する搬送ローラから比較的低速で渡された紙葉を、無理無く円滑に排紙ローラが受け取り、
受け取り終わった紙葉が搬送ローラから離れた直後に該紙葉の搬送を加速させて、紙葉を排紙ローラから放出（排紙）する際は最適速度にする。
最適速度で排紙されるから、紙葉は排紙トレイ内で綺麗に整列する。
【００１６】
請求項３の発明装置を適用すると、
搬送ローラに接触していることを検知する手段と、排紙ローラによって排紙された紙葉が排紙ローラから離間する時点を検知する手段とを備えているので、紙葉の進行状態を認識することができ、
紙葉の進行に対応して、自動制御機構により排紙ローラの回転速度を制御し、最適速度で排紙作動を行なうことができる。最適速度で排紙された紙葉は排紙トレイ内で綺麗に整列する。
【００１７】
請求項４の発明装置を、前記請求項３の発明装置に併せて適用すると、
紙葉の搬送速度が排紙最適速度よりも高い場合に、
紙葉が搬送ローラを通過して離れた直後に、排紙ローラの回転速度を減速せしめ、
紙葉が排紙ローラを通過して離れるまでの間に、該排紙ローラの周速を最適速度ならしめるので、紙葉が排紙最適速度で排紙され、排紙トレイ内で綺麗に整列する。
【００１８】
請求項５の発明装置を、前記請求項３の発明装置に併せて適用すると、
紙葉の搬送速度が排紙最適速度よりも低い場合に、
紙葉が搬送ローラを通過して離れた直後に、排紙ローラの回転速度を加速せしめ、
紙葉が排紙ローラを通過して離れるまでの間に、該排紙ローラの周速を最適速度ならしめるので、紙葉が排紙最適速度で排紙され、排紙トレイ内で綺麗に整列する。
【００１９】
請求項６の発明装置を、前記請求項３ないし請求項５の発明装置の何れか１つに併せて適用すると、光学的非接触センサによって紙葉の進行状態を認識することができる。
上記光学的非接触センサを、紙葉とローラとの接点に設けることは至難であり、かつ、設置位置に因る誤差やローラの慣性に因るタイムラグを避け難いが、これらの誤差要因を自動制御機構が補正するので正確な作動が遂行される。
【発明を実施するための最良の形態】
【００２０】
図３は本発明装置の１実施形態を模式的に描いた正面図である。本例は前掲の図７に描かれていた従来例の装置に本発明を適用して改良したものである。次に、本図３が図７に比して異なる点、すなわち本発明を適用して改良した構成を説明する。
図７（従来例）における搬送路後端の搬送ローラ４ｅを回転駆動する搬送ローラ駆動モータ５を、（図３参照）自動制御機構ＣＰＵで制御して、該搬送路後端の搬送ローラ独立に回転速度を制御し得るようにし、このローラを排紙ローラ６と名付ける。これに伴って、この排紙ローラ６を回転駆動するモータは排紙ローラ駆動モータと呼び、符号７を付した。
【００２１】
前記排紙ローラ６は本発明装置の中核的な構成部材であるが、排紙ローラの直前に位置する搬送ローラと密接に関連して動作するので、説明の便宜上この直前に位置する搬送ローラに符号４ｊを付する。
従来例の紙葉搬送，排紙装置は一般に多数のセンサが設けられているが、本発明装置は特に、排紙ローラの直前に位置する搬送ローラ４ｊ付近と排紙ローラ６付近とに、それぞれ紙葉を検知するセンサを設ける。
排紙ローラの直前に位置する搬送ローラ４ｊ付近に設けたセンサを到着検知センサ８と名付け、排紙ローラ６付近に設けたセンサを通過検知センサ９と名付ける。
【００２２】
紙葉の進行状態に応じて排紙ローラ６の回転速度を制御する形態を、図１について説明する。
図１（Ｂ）は前記搬送ローラ４と排紙ローラ６とを抽出して描き、紙葉１１を付記してある。紙葉１１は搬送路１に沿って矢印ｗのように図の右方へ送られる。
制御の目安として紙葉の後端Ｒｅに注目する。
上記紙葉の後端Ｒｅが搬送ローラ４を通過する時点をＴｄとし、排紙ローラ６を通過する時点をＴｅとする。
【００２３】
図１（Ａ）は、排紙ローラ６の速度（周速）制御カーブαを描いた図表であって、横軸に前記の時点Ｔｄと時点Ｔｅとをとってある。
すなわち、この図表の横軸は時間であるが、この時間軸は（Ｂ）図における紙葉１１の進行に対応させてある。
縦軸は速度を表し、Ｖａは前記最適排紙速度である。本実施形態において、最適排紙速度は実験的に求めた定数である。
この例では、前記紙葉の後端Ｒｅが搬送ローラ４を通過する時点における搬送速度Ｖｂが、前記最適排紙速度Ｖａよりも高速である。
前記紙葉の後端Ｒｅが搬送ローラ４に差しかかる時点Ｔｄまでは、排紙ローラ６の周速を搬送速度Ｖｂに保たれている
【００２４】
前記紙葉の後端Ｒｅが搬送ローラ４を通過した直後、排紙ローラ６の回転速度（周速）を減速させ、排紙ローラ６を通過する時点において前記最適排紙速度Ｖａと等しくなるように、該排紙ローラ６の回転速度を制御する。
以下に図４〜図６を参照して、上述の制御を具体的に説明する。
図４は、紙葉１１の前端Ｆｅが排紙ローラの直前に位置する搬送ローラ４ｊを通過した直後を描いてある。紙葉の後端は未だ図外の左方に在る。
これを図１（Ａ）に当てはめると、紙葉の後端はＴｆ付近に在る。
【００２５】
図４に描かれ、図１（Ａ）の時点Ｔｆに相当する状態では、紙葉１１の前端Ｆｅが未だ排紙ローラ６に達していないので、該紙葉の速度は排紙ローラの直前に位置する搬送ローラ４ｊによって定まる。図１（Ａ）に表されているように、この状態（図４）では排紙ローラ６の周速が搬送速度Ｖｂとなるように回転している。
図５は、紙葉１１の前端Ｆｅが排紙ローラ６に到達し、紙葉の後端が排紙ローラの直前に位置する搬送ローラ４ｊを通過している状態を描いてある。
これを図１（Ａ）に当てはめると、紙葉の後端がＴｄに在る。
【００２６】
図５のように紙葉の後端Ｒｅが排紙ローラの直前に位置する搬送ローラ４ｊに達したことは、到着検知センサ８によって検知する。
為し得れば該到着検知センサを排紙ローラの直前に位置する搬送ローラ４ｊと同じ箇所に設置したいのであるが、実際問題として同じ位置に設けることはできない。
そこで本実施形態においては、排紙ローラの直前に位置する搬送ローラ４ｊの直近の箇所に光学的センサを配置して到着検知センサとして機能せしめた。その検出信号ｎは自動制御機構ＣＰＵ（図３参照）に送られる。
到着検知センサ８の位置ずれや、ローラの慣性によるロスタイムや、紙葉の撓みの影響などは自動制御機構ＣＰＵによって自動的に補正されて、排紙ローラ６の周速が前記のカーブαとなるように制御される。
【００２７】
図５の状態に達する以前、すなわち紙葉１１が排紙ローラの直前に位置する搬送ローラ４ｊと排紙ローラ６との両方に接触しているときは、排紙ローラ６の周速と排紙ローラの直前に位置する搬送ローラ４ｊの周速とは同じでなければならない。このため図１（Ａ）のＴｄ時点では、カーブαの値が搬送速度（紙葉１１が排紙ローラの直前に位置する搬送ローラ４ｊに来着したときの速度）に等しい。
【００２８】
紙葉１１が図５の状態から図の右方へ進行すると、排紙ローラの直前に位置する搬送ローラ４ｊから離れ、排紙ローラ６のみによって送られる。このような状態で排紙ローラ６が原則して紙葉の進行速度を低下させる。
これを図１（Ａ）で見ると、排紙ローラ６の速度（周速）制御カーブαが、時点Ｔｄを過ぎてから減速し、時点Ｔｅまでに最適排紙速度Ｖａに等しくなる。
（図３参照）紙葉が矢印ｗのように排紙最適速度で放出（排紙）されると、該紙葉は綺麗に整列して排紙トレイ２に収納される。
【００２９】
紙葉の後端が排紙ローラ６を通過し終えたことは、通過検知センサ９（図３）によって検出される。
（図１（Ａ）参照）排紙ローラ６の速度（周速）制御カーブαは、時点Ｔｅを過ぎると再び上昇する。その理由は、後続の紙葉が到達するまでに、周速を搬送速度Ｖｂに復元しておくためである。前記通過検知センサ９も微小なタイムラグを有して作動し、その検出信号ｎを自動制御機構ＣＰＵ（図３）に送るが、その誤差は自動制御機構ＣＰＵによって補正される。
【００３０】
以上に説明した図１（Ａ）は、最適排紙速度Ｖａが搬送速度Ｖｂよりも低い場合であった。その反対に最適排紙速度Ｖａが搬送速度Ｖｃよりも高い場合を図２（Ａ）に示す。
図２（Ｂ）は前記図１（Ｂ）に対応し、その横軸は前記の図２（Ａ）と共通である。
時点Ｔｄまでは、排紙ローラ６の制御カーブβは搬送速度Ｖｃになっている。すなわち、比較的低速で到達する紙葉を円滑に受け取るため、回転速度（周速）を落として待ち受ける。
時点Ｔｄで紙葉を受け取った排紙ローラ６は、その直後から加速し、該紙葉を放出する時点Ｔｅまでに最適排紙速度Ｖａになる。
【００３１】
時点Ｔｄにおいて、最適排紙速度Ｖａで紙葉を排紙（放出）することは前述の図１（Ａ）の場合と同様である。最適排紙速度Ｖａで放出された紙葉は排紙トレイの中で綺麗に整列して収納される。
図２（Ａ）の時点Ｔｅで紙葉を排紙した６は、後続の紙葉を待ち受けるために矢印ｉのように減速し、搬送速度Ｖｃに戻る。
【００３２】
以上に説明したように、主機（例えば読取機、複写機等）から搬出される紙葉類の速度が比較的速くても遅くても、本発明の適用によって排紙最適速度に修正して放出（排紙）されるので、前記紙葉類が排紙トレイ内で綺麗に整列せしめられる。
このため、従来例（図７）のようなストッパＳを設ける必要が無い。従って、ストッパを調節する手数が掛からず、排紙トレイ２の操作をストッパによって妨げられる虞れも無い。
【図面の簡単な説明】
【００３３】
【図１】本発明の１実施形態における作動を説明するために示したものであって、（Ｂ）は搬送ローラと排紙ローラと搬送路とを抽出して描いた模式的な正面図、（Ａ）は紙葉の搬送速度が比較的高い場合における排紙ローラの周速度制御カーブαを描いた時間−速度図表
【図２】本発明の１実施形態における作動を説明するために示ししたものであって、（Ｂ）は搬送ローラと排紙ローラと搬送路とを抽出して描いた模式的な正面図、（Ａ）は紙葉の搬送速度が比較的低い場合における排紙ローラの周速度制御カーブβを描いた時間−速度図表
【図３】本発明に係る紙葉搬送，排紙装置の１実施形態における模式的な正面図に制御系統を付記した図
【図４】本発明の１実施形態における作用効果を説明するために示したものであって、作動初期における要部正面図
【図５】本発明の１実施形態における作用効果を説明するために示したものであって、作動中期における要部正面図
【図６】本発明の１実施形態における作用効果を説明するために示したものであって、作動末期における要部正面図
【図７】従来例の紙葉搬送，排紙装置を示し、模式的に描いた正面図
【符号の説明】
【００３４】
１…搬送路
２…排紙トレイ
３…収納補助ガイド
４…搬送ローラ
５…搬送ローラ駆動モータ
６…排紙ローラ
７…排紙ローラ駆動モータ
８…到着検知センサ
９…通過検知センサ
１０…搬送切替器
１１…紙葉（帳票）
【図１】
2008273636.tif 000003
【図２】
2008273636.tif 000004
【図３】
2008273636.tif 000005
【図４】
2008273636.tif 000006
【図５】
2008273636.tif 000007
【図６】
2008273636.tif 000008
【図７】
2008273636.tif 000009